(57)【要約】【課題】本発明は、遅延波耐性とフェージング耐性との双方をバランス良く確保することを目的とする。【解決手段】遅延時間測定部１１５は、複数のサブキャリアのうちの最初に到来したサブキャリアの時点とマルチパスを介して到来したサブキャリアの時点とにより決定される遅延時間を所定時間間隔毎に測定する。モード選択部１１７は、遅延時間の大きさに応じて、複数のサブキャリアのうちの互いに隣接するサブキャリアの間隔であるサブキャリア間隔、及びガードインターバルの組合せからなる複数のモードの中から、いずれかのモードを選択する。第１モード処理部１３０、第２モード処理部１５０又は第３モード処理部１７０は、選択されたモードを用いて伝送信号の送受信を実行する。【選択図】図２
2007159066.tif 000002
【特許請求の範囲】
【請求項１】
複数のサブキャリアの少なくとも一部を用いて、ガードインターバルを有する伝送シンボルが多重された伝送信号の送受信を実行する無線通信装置であって、
前記複数のサブキャリアのうちの最初に到来したサブキャリアの時点とマルチパスを介して到来したサブキャリアの時点とにより決定される遅延時間を所定時間間隔毎に測定する遅延時間測定部と、
前記遅延時間の大きさに応じて、前記複数のサブキャリアのうちの互いに隣接するサブキャリアの間隔であるサブキャリア間隔、及び前記ガードインターバルの組合せからなる複数のモードの中から、いずれかのモードを選択するモード選択部と、
選択された前記モードを用いて前記伝送信号の送受信を実行する処理実行部と
を備えることを特徴とする無線通信装置。
【請求項２】
前記モード選択部は、所定の単位周期からなるフレームが複数に分割されたタイムスロット毎に、いずれかの前記モードを選択する請求項１に記載の無線通信装置。
【請求項３】
前記処理実行部は、前記複数のサブキャリアから構成されるサブチャネルを１の通信先装置に割当て、
前記モード選択部は、前記サブチャネルの複数が前記１の通信先装置に割当てられた場合には、選択した前記モードを構成する前記サブキャリア間隔よりも広いサブキャリア間隔に変更することを特徴とする請求項２に記載の無線通信装置。
【請求項４】
前記複数のモードのそれぞれを構成する１の伝送シンボルの時間長は、前記１の伝送シンボルよりも短い伝送シンボルの時間長の整数倍であることを特徴とする請求項１に記載の無線通信装置。
【請求項５】
複数のサブキャリアの少なくとも一部を用いて、ガードインターバルを有する伝送シンボルが多重された伝送信号の送受信を実行する無線通信装置で動作する無線通信制御方法であって、
前記複数のサブキャリアのうちの最初に到来したサブキャリアの時点とマルチパスを介して到来したサブキャリアの時点とにより決定される遅延時間を所定時間間隔毎に測定する第１ステップと、
前記遅延時間の大きさに応じて、前記複数のサブキャリアのうちの互いに隣接するサブキャリアの間隔であるサブキャリア間隔、及び前記ガードインターバルの組合せからなる複数のモードの中から、いずれかのモードを選択する第２ステップと、
選択された前記モードを用いて前記伝送信号の送受信を実行する第３ステップと
を備えることを特徴とする無線通信制御方法。
【請求項６】
前記第２ステップでは、所定の単位周期からなるフレームが複数に分割されたタイムスロット毎に、いずれかの前記モードを選択する請求項５に記載の無線通信制御方法。
【請求項７】
前記第３ステップでは、前記複数のサブキャリアから構成されるサブチャネルを１の通信先装置に割当て、
前記第２ステップでは、前記サブチャネルの複数が前記１の通信先装置に割当てられた場合には、選択した前記モードを構成する前記サブキャリア間隔よりも広いサブキャリア間隔に変更することを特徴とする請求項６に記載の無線通信制御方法。
【請求項８】
前記複数のモードのそれぞれを構成する１の伝送シンボルの時間長は、前記１の伝送シンボルよりも短い伝送シンボルの時間長の整数倍であることを特徴とする請求項５に記載の無線通信制御方法。
【発明の詳細な説明】
【技術分野】
【０００１】
本発明は、複数のサブキャリアの少なくとも一部を用いて、ガードインターバルを有する伝送シンボルが多重された伝送信号の送受信を実行する無線通信装置及び無線通信制御方法に関する。
【背景技術】
【０００２】
従来、直交周波数分割多重（Orthogonal Frequency Division Multiplexing）を用いたシステムでは、伝送シンボルを単位としてデータ伝送が行われる。各伝送シンボルは、ガードインターバルを有している。ガードインターバルは、伝送シンボル間の干渉による影響を軽減するために挿入される一定の時間間隔である。
【０００３】
ここで、ガードインターバルの長さ（以下、ＧＩ長）が長くなると、伝送シンボル間の干渉による耐性（以下、遅延波耐性）が向上するものの、互いに隣接するサブキャリア間隔が狭くなるため、サブキャリア間の干渉による耐性（以下、フェージング耐性）が低下する。
【０００４】
一方、ＧＩ長が短くなると、サブキャリアの間隔が広くなり、フェージング耐性が向上するものの、遅延波耐性が低下する。このようにＧＩ長とサブキャリア間隔とのうちのいずれかを優先すると、遅延波耐性及びフェージング耐性のうちのいずれかの低下が招かれることとなる。
【０００５】
図１０は、最初に到来した第１サブキャリアの時点とマルチパスを介して到来した第２サブキャリアの時点とにより決定される遅延時間（μｓ）、及び第２サブキャリアの電力値（ｄＢ）の一例を示す。
【０００６】
図１０に示すように、一般的な市街地、郊外地、丘陵地形を有する市街地及び丘陵地のそれぞれにおいて遅延時間が異なる。このため、ＯＦＤＭを用いたシステムの設計では、遅延時間を考慮したＧＩ長の設定が必要となる。
【０００７】
ここで、図１０に示す丘陵地において遅延波耐性を適切に得るために遅延時間２０μｓのＧＩ長が設定されると、サブキャリア間隔が１２．５ｋＨｚ以下となり、フェージング耐性が低下することになる。
【０００８】
一方、郊外地だけに限定して遅延波耐性を適切に得るために遅延時間２μｓのＧＩ長が設定されると、サブキャリア間隔が１２５ｋＨｚ以下となり、フェージング耐性が向上する一方で、遅延耐性が低下する。
【０００９】
この問題点を解決するために、ＧＩ長を固定せずに、上記遅延時間の大きさに応じてＧＩ長を設定する無線通信装置が提供されている（例えば、特許文献１参照）。
【特許文献１】特開２００２−３７４２２３号公報
【発明の開示】
【発明が解決しようとする課題】
【００１０】
しかしながら、上記無線通信装置は、上記遅延時間の大きさに応じてＧＩ長のみを変更するだけであるため、遅延波耐性とフェージング耐性との双方をバランス良く確保することができなかった。
【００１１】
すなわち、上記無線通信装置と通信先装置（例えば、移動機）との間の通信環境条件（例えば、市街地、丘陵地など）が変化する状況下では、上記無線通信装置はその通信環境条件に応じて遅延波耐性とフェージング耐性とを十分に確保することができない。
【００１２】
そこで、本発明は上記点に鑑みてなされたものであり、遅延波耐性とフェージング耐性との双方をバランス良く確保することができる無線通信装置及び無線通信制御方法を提供することを目的とする。
【課題を解決するための手段】
【００１３】
上記課題を解決するために、本発明の第１の特徴は、複数のサブキャリアの少なくとも一部を用いて、ガードインターバルを有する伝送シンボルが多重された伝送信号の送受信を実行する無線通信装置であって、複数のサブキャリアのうちの最初に到来したサブキャリアの時点とマルチパスを介して到来したサブキャリアの時点とにより決定される遅延時間を所定時間間隔毎に測定する遅延時間測定部（例えば、遅延時間測定部１１５）と、遅延時間の大きさに応じて、複数のサブキャリアのうちの互いに隣接するサブキャリアの間隔であるサブキャリア間隔、及びガードインターバルの組合せからなる複数のモード（例えば、図４に示す第１モード、第２モード及び第３モード）の中から、いずれかのモードを選択するモード選択部（例えば、モード選択部１１７）と、選択されたモードを用いて伝送信号の送受信を実行する処理実行部（例えば、第１モード処理部１３０、第２モード処理部１５０又は第３モード処理部１７０）とを備えることを要旨とする。
【００１４】
かかる特徴によれば、無線通信装置は、遅延時間の大きさに応じて、ガードインターバルの長さのみならずにサブキャリア間隔も異なるモードに適宜変更する。このため、無線通信装置は、通信先装置との間の通信環境条件が変化する状況下でも、遅延波耐性とフェージング耐性との双方をバランス良く確保することができる。
【００１５】
本発明の第２の特徴は、モード選択部が、所定の単位周期（例えば、２．５ｍｓ）からなるフレームが複数に分割されたタイムスロット毎に、いずれかのモード（例えば、図７参照）を選択することを要旨とする。
【００１６】
本発明の第３の特徴は、処理実行部が、複数のサブキャリアから構成されるサブチャネルを１の通信先装置（例えば、端末装置２００−１）に割当て、サブチャネルの複数が１の通信先装置に割当てられた場合には、モード選択部が、選択したモードを構成するサブキャリア間隔よりも広いサブキャリア間隔（例えば、図８参照）に変更することを要旨とする。
【００１７】
本発明の第４の特徴は、複数のモードのそれぞれを構成する１の伝送シンボル（例えば、図４（ｂ）に示す第２モードを構成する伝送シンボル）の時間長は、１の伝送シンボルよりも短い伝送シンボル（例えば、図４（ａ）に示す第１モードを構成する伝送シンボル）の時間長の整数倍であることを要旨とする。
【発明の効果】
【００１８】
本発明の特徴によれば、遅延波耐性とフェージング耐性との双方をバランス良く確保することができる。
【発明を実施するための最良の形態】
【００１９】
本実施形態における無線基地局及び端末装置について図面を参照しながら説明する。図１は、本実施形態における無線基地局１００と端末装置２００−１〜２００−ｎとを示す図である。なお、無線基地局１００又は端末装置２００−１〜２００−ｎは、無線通信装置を構成する。
【００２０】
図１に示すように、無線基地局１００は、端末装置２００−１〜２００−ｎに対して、複数のサブキャリアの少なくとも一部を用いてガードインターバル（以下、ＧＩ）を有する伝送シンボルが多重された伝送信号の送受信を実行する。本実施形態における無線基地局１００は、直交周波数分割多重（Orthogonal Frequency Division Multiplexing）を用いて伝送信号の送受信を実行している。
【００２１】
次に、本実施形態における無線基地局１００の内部構造について図２を参照しながら説明する。
【００２２】
図２に示すように、無線基地局１００は、アンテナ１０１と、スイッチＳＷと、受信側ＢＰＦ１０３と、受信側合成部１０５と、受信側ＢＰＦ１０７と、受信側合成部１０９と、受信側ＬＰＦ１１１と、Ａ／Ｄ１１３と、遅延時間測定部１１５と、モード選択部１１７と、Ｄ／Ａ１１９と、送信側ＬＰＦ１２１と、送信側合成部１２３と、送信側ＢＰＦ１２５と、送信側合成部１２７と、送信側ＢＰＦ１２９と、第１モード処理部１３０と、第２モード処理部１５０と、第３モード処理部１７０とを備えている。
【００２３】
アンテナ１０１は、端末装置２００−１〜２００−ｎに対して伝送信号の送受信を行う。スイッチＳＷは、受信側ＢＰＦ１０３及び送信側ＢＰＦ１２９のいずれかを選択する。受信側ＢＰＦ１０３は、アンテナ１０１により受信された所定周波数帯域の伝送信号のうちの特定の周波数帯域の伝送信号を選択する。
【００２４】
受信側合成部１０５は、生成された周波数ｆ１を用いて、受信側ＢＰＦ１０３から出力された伝送信号を第１中間周波数帯域の伝送信号に変換する。受信側ＢＰＦ１０７は、受信側合成部１０５から出力された第１中間周波数帯域の伝送信号のうちの特定の周波数帯域の伝送信号を選択する。
【００２５】
受信側合成部１０９は、生成された周波数ｆ２を用いて、受信側ＢＰＦ１０７から出力された伝送信号を第２中間周波数帯域の伝送信号に変換する。受信側ＬＰＦ１１１は、受信側合成部１０９から出力された伝送信号のうちの高周波数帯域の伝送信号を除去する。Ａ／Ｄ１１３は、受信側ＬＰＦ１１１から出力された伝送信号をディジタル信号に変換する。
【００２６】
このようにアンテナ２０１により受信された伝送信号は、受信側ＢＰＦ１０３,受信側合成部１０５,受信側ＢＰＦ１０７,受信側合成部１０９,受信側ＬＰＦ１１１,Ａ／Ｄ１１３により所定周波数帯域の伝送信号に順次変換等される（受信側変換処理）。
【００２７】
また、送信される伝送信号は、上記受信側変換処理とは逆の処理手順により所定周波数帯域の伝送信号に順次変換等され、その後にアンテナ２０１を介して端末装置２００−１〜２００−ｎに送信される（送信側変換処理）。
【００２８】
送信側変換処理は、Ｄ／Ａ１１９,送信側ＬＰＦ１２１,送信側合成部１２３,送信側ＢＰＦ１２５,送信側合成部１２７,送信側ＢＰＦ１２９により実行されるが、受信側変換処理の逆の処理手順と同様であるため、ここでの詳細な説明は省略する。
【００２９】
遅延時間測定部１１５は、複数のサブキャリアのうちの最初に到来したサブキャリアの時点とマルチパスを介して到来したサブキャリアの時点とにより決定される遅延時間を所定時間間隔毎に測定する。
【００３０】
モード選択部１１７は、測定された遅延時間の大きさに応じて、複数のサブキャリアのうちの互いに隣接するサブキャリアの間隔であるサブキャリア間隔、及びＧＩの組合せからなる複数のモードの中から、いずれかのモードを選択する。
【００３１】
本実施形態では、遅延時間測定部１１５が遅延時間を所定時間間隔毎に測定しているため、モード選択部１１７は、当該所定時間間隔毎に、遅延時間の大きさに応じていずれかのモードを選択する。
【００３２】
ここで、複数のモードには、第１モードと、第２モードと、第３モードとが含まれる。本実施形態では、複数のモードのそれぞれを構成する１の伝送シンボル（例えば、図４（ｂ）に示す第２モードを構成する伝送シンボル）の時間長は、当該１の伝送シンボルよりも短い伝送シンボル（例えば、図４（ａ）に示す第１モードを構成する伝送シンボル）の時間長の整数倍である。以下、図３及び図４を参照しながら、各モードについて詳細に説明する。
【００３３】
図３は、第１モード、第２モード及び第３モードを構成するサブキャリア間隔を示す図である。図４は、第１モード、第２モード及び第３モードを構成する伝送シンボルを示す図である。伝送シンボルは、ＧＩ及びデータにより構成される。
【００３４】
図３（ａ）及び図４（ａ）に示すように、第１モードは、サブキャリア間隔ΔｆM1である９６ＫＨｚと、ＧＩ長である２．６０４μｓとの組合せにより構成される。
【００３５】
図３（ｂ）及び図４（ｂ）に示すように、第２モードは、第１モードのサブキャリア間隔ΔｆM1よりも狭いサブキャリア間隔ΔｆM2である４８ＫＨｚと、第１モードのＧＩ長よりも長いＧＩ長である５．２０８μｓとの組合せにより構成される。また、第２モードのＧＩ長及びデータ長から構成される伝送シンボル長は、第１モードのＧＩ長及びデータ長から構成される伝送シンボル長の２倍である。
【００３６】
図３（ｃ）及び図４（ｃ）に示すように、第３モードは、第２モードのサブキャリア間隔ΔｆM2よりも狭いサブキャリア間隔ΔｆM3である２４ＫＨｚと、第２モードのＧＩ長よりも長いＧＩ長である１０．４１７μｓとの組合せにより構成される。また、第３モードのＧＩ長及びデータ長から構成される伝送シンボル長は、第２モードのＧＩ長及びデータ長から構成される伝送シンボル長の２倍である。
【００３７】
なお、本実施形態では、図４に示すサブキャリア間隔（９６ＫＨｚ，４８ＫＨｚ，２４ＫＨｚ）、ＧＩ長（２．６０４μｓ，５．２０８μｓ，１０．４１７μｓ）、データ長（１０．４１７μｓ，２０．８３３μｓ，４１．６６７μｓ）を一例にして説明しているが、これに限定されないのは勿論のことである。
【００３８】
第１モード処理部１３０は、モード選択部１１７により選択された第１モードを用いて伝送信号の送受信を実行する（モード処理）。第１モード処理部１３０は、受信信号処理部１３１と、ＦＦＴ１３３と、Ｐ／Ｓ１３５と、Ｓ／Ｐ１３７と、ＦＦＴ１３９と、送信信号処理部１４１とを備えている。
【００３９】
受信信号処理部１３１は、Ａ／Ｄ１１３から出力された伝送信号の電力値を補正する処理、伝送信号のフレームを同期させる処理、伝送信号に含まれるＧＩを除去する処理などを実行する。
【００４０】
ＦＦＴ１３３は、選択された第１モードを用いて、受信信号処理部１３１により出力された伝送信号を構成する各伝送シンボル（図４（ａ）参照）を周波数軸上にフーリエ変換する。ＦＦＴ１３３は、第１モードのサブキャリアの周波数毎に位相及び振幅を計算する。Ｐ／Ｓ１３５は、サブキャリアの周波数毎の計算結果を直列に出力する。
【００４１】
Ｓ／Ｐ１３７は、第１モードのサブキャリアの周波数毎の位相及び振幅を並列に出力する。ＦＦＴ１３９は、サブキャリアの周波数毎に出力された位相及び振幅の信号を、第１モードの各伝送シンボル（図４（ａ）参照）を構成する伝送信号に逆フーリエ変換する。送信信号処理部１４１は、ＦＦＴ１３９から出力された伝送信号にＧＩを挿入する処理、伝送信号の電力値を補正する処理などを実行する。
【００４２】
第２モード処理部１５０は、モード選択部１１７により選択された第２モードを用いて伝送信号の送受信を実行する。第３モード処理部１７０は、モード選択部１１７により選択された第３モードを用いて伝送信号の送受信を実行する。なお、第２モード処理部１５０及び第３モード処理部１７０は、上述した第１モード処理部１３０と同様の内部構成であるため、ここでの詳細な説明は省略する。
【００４３】
端末装置２００−１〜２００−ｎは、無線基地局１００に対して、複数のサブキャリアの少なくとも一部を用いてガードインターバル（以下、ＧＩ）を有する伝送シンボルが多重された伝送信号の送受信を実行する。本実施形態における端末装置２００−１〜２００−ｎは、無線基地局１００と同様に、複数のモードのいずれかのモードを用いて伝送信号の送受信を実行する（モード処理）。
【００４４】
なお、端末装置２００−１〜２００−ｎにおけるモード処理は、上述した無線基地局１００におけるモード処理（図２乃至図４参照）と同様であるため、ここでの詳細な説明は省略する。
【００４５】
次に、本実施形態における無線基地局１００の動作（無線通信制御方法）について図５を参照しながら説明する。
【００４６】
図５に示すように、Ｓ１０１において、無線基地局１００は、端末装置２００−１〜２００−ｎのいずれかからの通信要求があるか否か判定する。また、無線基地局１００は、この判定がＹＥＳである場合にはＳ１０３の処理に移り、ＮＯである場合には本処理を繰り返す。
【００４７】
Ｓ１０３において、無線基地局１００は、通信要求元の端末装置から最初に到来したサブキャリアの時点とマルチパスを介して到来したサブキャリアの時点とにより決定される遅延時間を所定時間間隔毎に測定する。
【００４８】
Ｓ１０５において、無線基地局１００は、測定した遅延時間が２．６０４μｓ以下であるか否か判定する。また、無線基地局１００は、この判定がＹＥＳである場合にはＳ１０７の処理に移り、ＮＯである場合にはＳ１０９の処理に移る。
【００４９】
Ｓ１０７において、無線基地局１００は、複数のモードの中から第１モードを選択する（図３（ａ）及び図４（ａ）参照）。無線基地局１００は、通信要求元の端末装置に対して、第１モードを用いて伝送信号を送受信するように指示する指示情報を送信する。そして、無線基地局１００は、第１モードを用いて伝送信号の送受信を実行する。
【００５０】
Ｓ１０９において、無線基地局１００は、測定した遅延時間が５．２０８μｓ以下であるか否か判定する。また、無線基地局１００は、この判定がＹＥＳである場合にはＳ１１１の処理に移り、ＮＯである場合にはＳ１１３の処理に移る。
【００５１】
Ｓ１１１において、無線基地局１００は、複数のモードの中から第２モードを選択する（図３（ｂ）及び図４（ｂ）参照）。無線基地局１００は、通信要求元の端末装置に対して、第２モードを用いて伝送信号を送受信するように指示する指示情報を送信する。そして、無線基地局１００は、第２モードを用いて伝送信号の送受信を実行する。
【００５２】
Ｓ１１３において、無線基地局１００は、複数のモードの中から第３モードを選択する（図３（ｃ）及び図４（ｃ）参照）。無線基地局１００は、通信要求元の端末装置に対して、第３モードを用いて伝送信号を送受信するように指示する指示情報を送信する。そして、無線基地局１００は、第３モードを用いて伝送信号の送受信を実行する。
【００５３】
かかる特徴によれば、無線基地局１００は、測定した遅延時間が大きくなるに従い、第１モード、第２モード、第３モードの順でモードを選択する。すなわち、無線基地局１００は、測定した遅延時間が大きくなるに従い、最短のＧＩ長よりも長いＧＩ長、及び最広幅よりも狭いサブキャリア間隔を用いる。
【００５４】
これにより、無線基地局１００が、測定した遅延時間の大きさに応じて、ＧＩ長のみならずにサブキャリア間隔も異なるモードに適宜変更するため、無線基地局１００は、通信先装置との間の通信環境条件が変化する状況下でも、遅延波耐性とフェージング耐性との双方をバランス良く確保することができる。
【００５５】
なお、複数のモードのいずれかのモードは、無線基地局１００で選択されることに限定されずに、端末装置２００−１〜２００−ｎで選択されてもよい。
【００５６】
（第１変更例）
なお、本実施形態では、第１モード処理部１３０、第２モード処理部１５０及び第３モード処理部１７０は、複数のサブキャリアから構成されるサブチャネルを１の通信先装置（例えば、端末装置２００−１）に割当てている（図３参照）。
【００５７】
これに対し、本変更例では、第１モード処理部１３０、第２モード処理部１５０及び第３モード処理部１７０は、所定の単位周期からなるフレーム（例えば、２．５ｍｓ）が複数に分割されたタイムスロット毎に、異なる通信先装置のそれぞれにサブチャネルを割当てている（図３及び図６参照）。
【００５８】
例えば、図３（ａ）及び図６（ａ）に示すように、第１モードにおいては、所定周波数帯域内で２つのサブキャリアが用いられる。１つのサブキャリアから構成されるサブチャネルは、それぞれ端末装置２００−１，２００−２に割当てられる。
【００５９】
図３（ｂ）及び図６（ｂ）に示すように、第２モードにおいては、第１モードと同様の所定周波数帯域内で４つのサブキャリアが用いられる。１つのサブキャリアから構成されるサブチャネルは、それぞれ端末装置２００−１〜２００−４に割当てられる。
【００６０】
図３（ｃ）及び図６（ｃ）に示すように、第３モードにおいては、第１モードと同様の所定周波数帯域内で８つのサブキャリアが用いられる。１つのサブキャリアから構成されるサブチャネルは、それぞれ端末装置２００−１〜２００−８に割当てられる。
【００６１】
かかる特徴によれば、無線基地局１００は、複数のサブキャリアから構成されるサブチャネルを、それぞれの通信先装置（例えば、端末装置２００−１）にタイムスロット毎に割当ることができる。このため、無線基地局１００は、選択したモードを用いて、タイムスロット毎の複数の通信先装置に対する遅延波耐性及びフェージング耐性をバランス良く確保することができる。
【００６２】
（第２変更例）
なお、モード選択部１１７は、いずれかのモードをタイムスロット毎に選択してもよい。更には、モード選択部１１７は、サブチャネルの複数が１の通信先装置に割当てた場合には、当該タイムスロット毎に、いずれかのモード（当該サブチャネルの数に対応するモード）を選択してもよい。
【００６３】
例えば、図７に示すように、あるタイムスロットにおいて２つのサブチャネルのそれぞれが端末装置２００−１，２００−２に割当てられた場合には、無線基地局１００は、当該２つのサブチャネルに対応する第１モードを選択する。
【００６４】
かかる特徴によれば、無線基地局１００が、タイムスロット毎に適切なＧＩ長及びサブキャリア間隔を用いることができるため、無線基地局１００は、タイムスロット毎に遅延波耐性とフェージング耐性との双方をバランス良く確保することができる。
【００６５】
（第３変更例）
なお、モード選択部１１７は、サブチャネルの複数が１の通信先装置に割当てられた場合には、選択したモードを構成するサブキャリア間隔よりも広いサブキャリア間隔に変更してもよい。
【００６６】
本変更例では、上記選択したモードは第２モードであるとして説明するが、これに限定される分けではなく、第１モード及び第３モードでもよいのは勿論のことである。
【００６７】
図８（ａ）は、上記選択した第２モードで用いられる伝送シンボルの内容を示す図である。 図８（ｂ）は、当該第２モードから変更された第２モード−Ｅｘｐａｎｄで用いられる伝送シンボルの内容を示す図である。
【００６８】
例えば、モード選択部１１７は、サブチャネルの複数が１の端末装置に割当てられた場合には、選択した第２モードを構成するサブキャリア間隔よりも広いサブキャリア間隔（例えば、図８（ａ）に示す９６ＫＨｚ）を有する第２モード−Ｅｘｐａｎｄを選択する。
【００６９】
ここで、第１無線基地局及び第２無線基地局が通信先装置（例えば、端末装置２００−１）の周辺に存在し、第１無線基地局及び第２無線基地局が同一のモードを用いている場合を考える。この場合には、第１無線基地局及び第２無線基地局で同一のサブキャリア間隔が用いられている。このため、通信先装置は、第１無線基地局との間で信号の送受信を実行しているときに、第２無線基地局からのサブキャリアの干渉を受けることがある。
【００７０】
本変更例では、第１無線基地局及び第２無線基地局で同一のモード（例えば、第２モード）が用いられている状況下でも、第１無線基地局は、サブチャネルの複数を１の通信先装置に割当てた場合には、第２無線基地局で用いられているサブキャリア間隔よりも広いサブキャリア間隔（例えば、第２モード−Ｅｘｐａｎｄ参照）に変更することができる。
【００７１】
これにより、第１無線基地局で用いられるサブキャリア間隔が第２無線基地局で用いられるサブキャリア間隔よりも広くなる。このため、通信先装置は、第１無線基地局との間で伝送信号を送受信している場合でも、第２無線基地局に対するフェージング耐性を十分に確保することができる。
【００７２】
なお、モード選択部１１７は、サブチャネルの複数が１の通信先装置に割当てられた場合には、選択したモードを構成するサブキャリア間隔をそれよりも広いサブキャリア間隔に変更するだけではなく、当該モードを構成するＧＩ長をそれよりも長いＧＩ長に変更してもよい。
【００７３】
例えば、モード選択部１１７は、選択した第２モードを構成するサブキャリア間隔よりも広いサブキャリア間隔（例えば、図８（ａ）に示す９６ＫＨｚ）、及び当該モードを構成するＧＩ長よりも長いＧＩ長（例えば、図８（ａ）に示す１５．６２５μｓ）の組合せからなる第２モード−Ｅｘｐａｎｄを選択する。
【００７４】
かかる特徴によれば、第１無線基地局及び第２無線基地局で同一のモード（例えば、第２モード）が用いられている状況下でも、第１無線基地局は、第２無線基地局で用いられているサブキャリア間隔よりも広いサブキャリア間隔に変更するだけではなく、第２無線基地局で用いられているＧＩ長よりも長いＧＩ長に変更することができる。
【００７５】
これにより、第１無線基地局で用いられるサブキャリア間隔及びＧＩ長が第２無線基地局で用いられるサブキャリア間隔及びＧＩ長よりも広くなる。このため、通信先装置は、第１無線基地局との間で伝送信号を送受信している場合でも、第２無線基地局に対するフェージング耐性のみならずに遅延波耐性も十分に確保することができる。
【００７６】
なお、図９に示すように、モード選択部１１７は、サブチャネルの複数が１の通信先装置に割当てられた場合には、タイムスロット毎に、選択したモードを構成するサブキャリア間隔をそれよりも広いサブキャリア間隔に変更してもよい（例えば、第２モードと第２モード−Ｅｘｐａｎｄとの関係を参照）。
【００７７】
又は、モード選択部１１７は、サブチャネルの複数が１の通信先装置に割当てられた場合には、タイムスロット毎に、選択したモードを構成するサブキャリア間隔をそれよりも広いサブキャリア間隔に変更するだけではなく、当該モードを構成するＧＩ長をそれよりも長いＧＩ長に変更してもよい。
【００７８】
以上、本発明の一例を説明したが、具体例を例示したに過ぎず、特に本発明を限定するものではなく、各部の具体的構成等は、適宜設計変更可能である。また、実施形態及び各変更例の構成はそれぞれ組み合わせることが可能である。また、実施形態及び各変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【００７９】
【図１】実施形態における無線基地局及び複数の端末装置を示す図である。
【図２】実施形態における無線基地局の内部構成を示す図である。
【図３】実施形態における第１モード、第２モード及び第３モードの内容を示す図である。
【図４】実施形態における第１モード、第２モード及び第３モードの内容を示す図である。
【図５】実施形態における無線基地局の動作を示す図である。
【図６】変更例におけるサブチャネル毎に選択されるモードを示す図である。
【図７】変更例におけるサブチャネル毎及びタイムスロット毎に選択されるモードを示す図である。
【図８】変更例における第２モード及び第２モード−Ｅｘｐａｎｄの内容を示す図である。
【図９】変更例におけるサブチャネル毎及びタイムスロット毎に選択される第２モード及び第２モード−Ｅｘｐａｎｄを示す図である。
【図１０】サブキャリアの電力値と遅延時間との関係を示す特性図である。
【符号の説明】
【００８０】
１００…無線基地局、１０１…アンテナ、１０３…受信側ＢＰＦ、１０５…受信側合成部、１０７…受信側ＢＰＦ、１０９…受信側合成部、１１１…受信側ＬＰＦ、１１３…受信側Ａ／Ｄ、１１５…遅延時間測定部、１１７…モード選択部、１１９…Ｄ／Ａ、１２１…送信側ＬＰＦ、１２３…送信側合成部、１２５…送信側ＢＰＦ、１２７…送信側合成部、１２９…送信側ＢＰＦ、１３０…第１モード処理部、１５０…第２モード処理部、１７０…第３モード処理部、２００…端末装置、
【図１】
2007159066.tif 000003
【図２】
2007159066.tif 000004
【図３】
2007159066.tif 000005
【図４】
2007159066.tif 000006
【図５】
2007159066.tif 000007
【図６】
2007159066.tif 000008
【図７】
2007159066.tif 000009
【図８】
2007159066.tif 000010
【図９】
2007159066.tif 000011
【図１０】
2007159066.tif 000012